(57)【特許請求の範囲】
【請求項１】
少なくとも車体部分と、
多孔性の材料、とりわけプレス加工された不織布から形成され、音を吸収するモ−ルド部分とを備え、
前記車体部分の低周波の振動緩和のために、前記モ−ルド部分が前記車体部分に固定されない自己支持に形成され、
前記モールド部分の表面に格子縞状に形成された凸部が前記車体部分に密着しており、当該モールド部分の表面が異方性の空気抵抗構造をなしていることを特徴とする、振動を緩和するル−フライニングの構造。
【請求項２】
モ−ルド部分の自己支持の安定性を得るための補強層を有することを特徴とする請求項１に記載の構造。
【請求項３】
前記補強層が格子形であることを特徴とする請求項２に記載の構造。
【請求項４】
前記モ−ルド部分が部分的にル−フライニングに接合されていることを特徴とする請求項１から３のいずれか１つに記載の構造。
【請求項５】
請求項１の振動を緩和するル−フライニングの構造に適合する吸音性のモ−ルド部分であって、
多孔性の材料、とりわけプレス加工された不織布から形成され、前記モ−ルド部分が前記車体部分に固定されない自己支持であり、
前記モ−ルド部分の少なくとも１つの表面においては、平面方向の空気の動きが厚さ方向のそれより空気抵抗が小さくなるように、格子縞状の凸部を有していることを特徴とする吸音性のモールド部分。
【請求項６】
複数の異なった強く圧縮された層を備えていることを特徴とする請求項５に記載のモールド部分。
【請求項７】
格子形に分散されたくぼみを有し、その床領域が他の領域と比べて湾曲箇所が非常に硬いことを特徴とする請求項５又は６に記載のモールド部分。
【発明の詳細な説明】
【０００１】
【産業上の利用分野】
本発明は、少なくとも、車体部分及び吸音性のモ−ルド部分の振動を緩和するル−フライニングの構造に関する。また、本発明は、このような、振動を緩和するル−フライニングに適合した吸音性のモ−ルド部分に関する。
【０００２】
【従来技術及びその問題点】
このようなモ−ルド部分を有するル−フライニングの構造は、全ての種類の車両、主として乗用車、観光バス、トラック運転手のボックス、鉄道や飛行機に適用され、あらゆる種類の機械の運転室にも利用できる。ル−フライニングは、元来、単に美的な理由、つまり車体又はボックスの天井の装飾を目的として取付られたものである。しかし、今日ル−フライニングは技術的課題を果たすため、とりわけ音の吸収のために利用されている。個々の車体部分に通気孔の多いフォ−ムプラスチックマットあるいは不織布マットを張り付けると、乗客ボックス内部に生じる音場を非常に良く吸収することが知られている。具体的には、従来のル−フライニング１は、通常、図１に示すように、鉄板から形成されている車体部分２と、該部分２に付着している吸音マット３を備えている。吸音マット３は、音響上の理由から多孔性の非常に弾力に富む材料、例えばフォ−ムラバ−や柔らかい不織布から形成されている。車体部分２のくぼみのために、通常、車体部分と吸音マットとの接着面４は可能な限り大きくされる。図２はこのように接着面４を大きく形成したル−フライニングの構造を示す横断面である。しかしながら、個々の車体部分、とりわけ車両の屋根の振動によって生じる音場の緩和は、この伸縮性に富むマットによっては不十分であったり全く不可能であったりすることが見出だされた。この音は低周波の振動で不愉快なものである。そのため、振動する車体部分に梁を付設したり、適切な材料を広い面積に亘って張り付けたりする等の補強措置が既に試みられている。だが、このような措置は、或る限度までしか振動緩和に役立たず、ル−フライニングの総重量を増し、個々の車両の製造コストを高めている。
【０００３】
【発明が解決使用とする課題】
本発明の課題は、それゆえ、従来の振動緩和システムを否定するのではなく、２００ヘルツ以下、特に３０−１５０ヘルツの領域の振動をシステム重量を増すことなく効果的に緩和し、吸音効果を非常に広範囲に亘って維持し得るル−フライニングの構造を完成させることにある。
【０００４】
【課題を解決するための手段】
本発明によれば、前記課題は、少なくとも車体部分と、多孔性の材料、とりわけプレス加工された不織布から形成され、音を吸収するモ−ルド部分とを備え、前記車体部分の低周波の振動緩和のために、前記モ−ルド部分が前記車体部分に固定されない自己支持に形成され、前記モールド部分の表面に格子縞状に形成された凸部が前記車体部分に密着しており、当該モールド部分の表面が異方性の空気抵抗構造をなしていることを特徴とする、振動を緩和するル−フライニングの構造により解決される。また、多孔性の材料、とりわけプレス加工された不織布から形成され、前記モ−ルド部分が前記車体部分に固定されない自己支持であり、前記モ−ルド部分の少なくとも１つの表面においては、平面方向の空気の動きが厚さ方向のそれより空気抵抗が小さくなるように、格子縞状の凸部を有していることを特徴とする吸音性のモールド部分によって解決される。
【０００５】
本発明に係るル−フライニングの構造は、実質的に、多孔性の吸音部分が少なくとも車体部分に向いた面において、例えば格子縞状構造の表面とされ、該表面が車体部分に密着していることにより優れた吸音効果を得ることができる。この際、吸音効果を得るための表面の特殊な構造は標準的ではない。この構造の意図は、車体部分の振動によって引き起こされた空気の動きが、表面に平行な平面の方向では斜めの方向より妨げられることが少ないことにある。この空気抵抗構造の最善の寸法は専門家の技術的能力と知識に任せられる。発明における更に基本的な特徴は、モ−ルド部分が自己支持である、すなわち車体部分に吊す必要がないことである。モ−ルド部分が、とりわけ支え箇所の中の音と振動を緩和する変形のまわりのモ−ルド部分の吸収凸部を強化するために、個々に車体部分に固定され得るのは自明のことである。
【０００６】
特に好ましくは、吸音性のモ−ルド部分は更に、格子縞を有する表面構造に対し強く作用するくぼみを形成するようにプレス加工された不織布から形成されている。この格子形に取付られたくぼみの領域で、不織布は強くプレス加工され、きわめて強固な構造が形成される。
【０００７】
モ−ルド部分のこの強固な内部構造によって、該モ−ルド部分を車体部分に無理なく取付けることができる。好都合にも、前記くぼみはまた、電気ケ−ブルあるいはアンテナケ−ブルの配設用溝として使用できる。また、前記くぼみは電気的絶縁材とグラスファイバ−による強化材料、あるいはそれらのいずれか一つで覆うことができる。
【０００８】
【実施例】
以下、本発明の実施例につき添付図面を参照しつつ説明する。
【０００９】
図３は、本発明に従ったモ−ルド部分５を示す横断面図である。本発明に従ったモ−ルド部分５は自己支持であり、車体部分２とは部分的にしか密着していない。該部分は特に好ましくは、適切な方法でプレス加工された不織布とされ、総厚さ１４ｍｍ以下である。このような不織布は、天然繊維及び合成繊維を混合したものを適切な合成樹脂により相互に結合して形成されている。こうした不織布製品は、例えばＴＡＣＡの商品名で市販されている。この不織布によるモールド部分５の車体部分２に向いた面は特別な方法で構造を与えられている。より好ましくは、この側面は、空気の動きに対する平面方向の空気抵抗が厚さ方向のそれより小さくなるように格子縞状に刻みがつけられている。この際、約２ｍｍの凸部７の間の、格子形のモデルを形成している刻みの付けられた表面６は、モ−ルド部分５の中へ刻印により設けられている。
【００１０】
本発明の実施例に係るモ−ルド部分５は自己支持であり車体部分２に固定する必要がない。この場合、重要なのは、自己支持をなすモ−ルド部分の特性が、局部的に強化された領域あるいは層から生じているのか、或いは支持能力を有する格子の嵌め込みによって成立しているのかということである。しかし、本発明で重要なのは、格子状組織の個々の凸部７が車体部分２に密着していることである。そのため、補助手段として、凸部７の少なくとも一部分を車体部分２に張り付ける、或いは溶着することが可能である。
【００１１】
さらに好ましくは、モ−ルド部分５は圧縮度の異なる様々な層から形成されている。客室に向けられたモ−ルド部分の側面は、とりわけ強く圧縮され、それによりモ−ルド部分５全体が自己支持をする建築部品として、しっかりと組込まれるよう充分な強度を有するから、組込みは該部分の周辺を固定すればよい。
【００１２】
モ−ルド部分５のとりわけ極微の多孔を持つフォイルはまた、クッション付あるいはクッション無しで、多少の差はあれ複数の圧縮された層をサンドイッチ状に積み上げることが可能である。特殊な音響上の最適化は、基本的には車体部分の寸法と形に依存するがこれは専門家の能力に頼らねばならない。しかし、本発明で重要なのは今まで述べた方法での異方性のモ−ルド部分５の空気抵抗と、該モールド部分の支持力の安定性のみで可能な、車体部分への単に部分的な溶着である。
【００１３】
このように組み立てられた音響もしくは振動緩和システムの製造は驚くほど簡単なことが見出だされた。つまり、このようなシステムは単に１つの構成要素から成り、低周波領域では従来のシステムと比べ、きわめて良い緩和効果を示す。本発明に従ったこの構造により、２００ヘルツ以下の低周波の車体振動が効率良く緩和され得る。
【００１４】
これはとりわけ、図５、図６及び図７において明らかであり、図６は溶着されたビチューメン（ｂｉｔｕｍｅｎ）層を有する従来の緩和システムの振動緩和の測定カ−ブを示すグラフである。図６に対し、図７は、本発明に従った大量スプリングシステム（Ｆｅｄｅｒ−Ｍａｓｓｅ−Ｓｙｓｔｅｍ）の振動緩和測定カ−ブのグラフであり、とりわけ２００ヘルツ以下の周波数領域において明らかな改良が示されている。この比較参考データとして、緩和のない場合の従来システムの振動緩和測定カ−ブを図５に示す。
【００１５】
ル−フライニングは、より好ましくは、モ−ルド部分５の刻印された側面のくぼみ８は格子形の配置でモ−ルドされる。このくぼみは、最初の完成形で深さ約１０ｍｍであり、いずれにせよ簡単な方法で刻印される。これにより、モ−ルド部分の局所的領域はきわめ高密度とされ、これにより、モ−ルド部分に、モ−ルド部分全体の自己支持の安定性にとって非常に有益な、強くプレス加工されたために極めて形の安定した材料から成る格子構造が形成される。こうして形成されたくぼみは、もちろんケ−ブル配設用のレ−ルとして、とりわけアンテナケ−ブル、電気ケ−ブル或いはラウドスピ−カ−ケ−ブルのために使用できる。安全性の理由から、このように形を整えられたモ−ルド部分５では、主としてグラスファイバ−により強化されたポリエステルから成るレ−ル９を使用し、車体部分２及びモ−ルド部分５、或いはその一方によって張り付けることはもちろん可能である。レ−ル９は同時に、車体部分２のための強化された梁としても作用する。くぼみ８はまた、モ−ルド部分５の中に、特記すべき局所的な厚さの違いを生じることなく、それにより全体の安定性が侵害されないように、組み入れられることは自明である。
【００１６】
このル−フライニング構造のより好ましい形態の概略は既に述べたが、とりわけ、客室に向けられた側面が装飾的な層１０により覆われている。本発明に係る構造は車両の中で使用されるだけでなく、機械の製造においても、音響の吸収のため、低周波の振動が緩和されるべき全ての箇所で使用することができる。
【図面の簡単な説明】
【図１】従来のルーフライニングの構造の横断面図である。
【図２】振動の緩和を改善した、従来のルーフライニングの構造の横断面図である。
【図３】本発明の実施例に係るルーフライニングの構造の横断面図である。
【図４】本発明の実施例に係るモールド部分を示す斜視図である。
【図５】被膜無しの車体部分における振動緩和の測定カーブを示すグラフである。
【図６】従来の被膜付き車体部分における振動緩和の測定カーブを示すグラフである。
【図７】本発明の実施例に係るルーフライニングを有する車体部分における振動緩和の測定カーブを示すグラフである。
【符号の説明】
１  ルーフライニング
２  車体部分
３  吸音マット
４  接着面
５  モールド部分
６  表面
【図１】
0003590893.tif 000002
【図２】
0003590893.tif 000003
【図３】
0003590893.tif 000004
【図４】
0003590893.tif 000005
【図５】
0003590893.tif 000006
【図６】
0003590893.tif 000007
【図７】
0003590893.tif 000008